(57)【特許請求の範囲】
【請求項１】
カメラに取り付けられる取付け体と、この取付け体を介して前記カメラを支持する支持体とを備え、
前記支持体は、円弧面状の一方の係合面、および、円筒面状の一方の嵌合面を有し、
前記取付け体は、前記一方の係合面と摺動可能に係合する係脱自在の他方の係合面、および、前記一方の嵌合面と摺動可能に嵌合する嵌脱自在の他方の嵌合面を有しており、
前記一方の係合面と前記他方の係合面とを係合させた場合には、前記カメラが前記支持体によって横位置姿勢でかつ前記一方の係合面を支点として上下方向に回動調節可能な状態に支持され、前記一方の嵌合面と前記他方の嵌合面とを嵌合させた場合には、前記カメラが前記支持体によって縦位置姿勢でかつ前記一方の嵌合面を支点として上下方向に回動調節可能な状態に支持される構成となっており、
前記取付け体の他方の嵌合面は、互いに所定間隔をおいて複数並設されている
ことを特徴とするカメラ用支持具。
【請求項２】
カメラに取り付けられる取付け体と、この取付け体を介して前記カメラを支持する支持体とを備え、
前記支持体は、円弧面状の一方の係合面、および、円筒面状の一方の嵌合面を有し、
前記取付け体は、前記一方の係合面と摺動可能に係合する係脱自在の他方の係合面、および、前記一方の嵌合面と摺動可能に嵌合する嵌脱自在の他方の嵌合面を有しており、
前記一方の係合面と前記他方の係合面とを係合させた場合には、前記カメラが前記支持体によって横位置姿勢でかつ前記一方の係合面を支点として上下方向に回動調節可能な状態に支持され、前記一方の嵌合面と前記他方の嵌合面とを嵌合させた場合には、前記カメラが前記支持体によって縦位置姿勢でかつ前記一方の嵌合面を支点として上下方向に回動調節可能な状態に支持される構成となっており、
前記支持体は、水平方向に細長い断面円形状の横杆部とこの横杆部の長手方向中間部下面から下方に突出した上下方向に細長い縦杆部とを有し、
前記横杆部の上側外周面にて円弧面状の前記一方の係合面が構成され、かつ、前記横杆部の長手方向両端部の少なくとも一方の端部における外周面全体にて円筒面状の前記一方の嵌合面が構成されている
ことを特徴とするカメラ用支持具。
【請求項３】
支持体は、ステッキとして利用可能な構成となっている
ことを特徴とする請求項１または２記載のカメラ用支持具。
【発明の詳細な説明】
【０００１】
【発明の属する技術分野】
本発明は、カメラを支持するためのカメラ用支持具に関する。
【０００２】
【従来の技術】
従来、例えば図５に示すカメラ用支持具が知られている。
【０００３】
この図５に示す従来のカメラ用支持具は、カメラ１にねじ２で取り付けられた椀状の取付け体３と、この取付け体３を介してカメラ１を支持する支持体４とを備えている。また、支持体４は、上下方向に細長い縦杆部５とこの縦杆部５の上端に固着されたボール状部６とにて構成されている。
【０００４】
そして、椀状の取付け体３の内面部と支持体４のボール状部６との嵌合により、横位置姿勢のカメラ１が、支持体４のボール状部６を支点として上下方向、左右方向等の任意方向に回動調節可能な状態で支持されるようになっている。
【０００５】
【発明が解決しようとする課題】
しかしながら、上記図５に示す従来のカメラ用支持具では、横位置姿勢のカメラ１をボール状部６を支点として左右方向に回動調節することで被写体に応じて画面を左右に傾けることができるものの、この横位置姿勢のカメラ１をボール状部６を支点として左右方向に大きく回動させたとしても、そのカメラ１を縦位置姿勢にすることはできない、という問題がある。
【０００６】
本発明は、このような点に鑑みなされたもので、被写体に応じてカメラを横位置姿勢にしたり縦位置姿勢にしたりすることができるカメラ用支持具を提供することを目的とする。
【０００７】
【課題を解決するための手段】
請求項１記載のカメラ用支持具は、カメラに取り付けられる取付け体と、この取付け体を介して前記カメラを支持する支持体とを備え、前記支持体は、円弧面状の一方の係合面、および、円筒面状の一方の嵌合面を有し、前記取付け体は、前記一方の係合面と摺動可能に係合する係脱自在の他方の係合面、および、前記一方の嵌合面と摺動可能に嵌合する嵌脱自在の他方の嵌合面を有しており、前記一方の係合面と前記他方の係合面とを係合させた場合には、前記カメラが前記支持体によって横位置姿勢でかつ前記一方の係合面を支点として上下方向に回動調節可能な状態に支持され、前記一方の嵌合面と前記他方の嵌合面とを嵌合させた場合には、前記カメラが前記支持体によって縦位置姿勢でかつ前記一方の嵌合面を支点として上下方向に回動調節可能な状態に支持される構成となっており、前記取付け体の他方の嵌合面は、互いに所定間隔をおいて複数並設されているものである。
【０００８】
そして、この構成では、被写体に応じてカメラを横位置姿勢にしたり縦位置姿勢にしたりすることが可能となり、しかも、横位置姿勢のカメラを容易に上下方向に回動調節可能で、縦位置姿勢のカメラを容易に上下方向に回動調節可能であり、また、カメラに応じて他方の嵌合面を選択することにより、各種のカメラに適切に対応可能である。
【０００９】
請求項２記載のカメラ用支持具は、カメラに取り付けられる取付け体と、この取付け体を介して前記カメラを支持する支持体とを備え、前記支持体は、円弧面状の一方の係合面、および、円筒面状の一方の嵌合面を有し、前記取付け体は、前記一方の係合面と摺動可能に係合する係脱自在の他方の係合面、および、前記一方の嵌合面と摺動可能に嵌合する嵌脱自在の他方の嵌合面を有しており、前記一方の係合面と前記他方の係合面とを係合させた場合には、前記カメラが前記支持体によって横位置姿勢でかつ前記一方の係合面を支点として上下方向に回動調節可能な状態に支持され、前記一方の嵌合面と前記他方の嵌合面とを嵌合させた場合には、前記カメラが前記支持体によって縦位置姿勢でかつ前記一方の嵌合面を支点として上下方向に回動調節可能な状態に支持される構成となっており、前記支持体は、水平方向に細長い断面円形状の横杆部とこの横杆部の長手方向中間部下面から下方に突出した上下方向に細長い縦杆部とを有し、前記横杆部の上側外周面にて円弧面状の前記一方の係合面が構成され、かつ、前記横杆部の長手方向両端部の少なくとも一方の端部における外周面全体にて円筒面状の前記一方の嵌合面が構成されているものである。
【００１０】
そして、この構成では、被写体に応じてカメラを横位置姿勢にしたり縦位置姿勢にしたりすることが可能となり、しかも、横位置姿勢のカメラを容易に上下方向に回動調節可能で、縦位置姿勢のカメラを容易に上下方向に回動調節可能であり、また、支持体の製造が容易であるばかりでなく、横杆部を利用して支持体を容易に持ち運ぶことが可能となる。
【００１１】
請求項３記載のカメラ用支持具は、請求項１または２記載のカメラ用支持具において、支持体は、ステッキとして利用可能な構成となっているものである。
【００１２】
そして、この構成では、支持体をステッキとして利用することができるため、支持体とは別体のステッキが不要になり、例えば旅行時等の荷物が少なくなる。
【００１３】
【発明の実施の形態】
以下、本発明の一実施の形態を図面を参照して説明する。
【００１４】
図１において、10はカメラ用支持具で、このカメラ用支持具10は、やや横長のカメラ11の下面部に固定具であるねじ12で着脱可能に固定的に取り付けられる取付け体13と、この取付け体13を介してカメラ11を支持する支持体14とを備えている。
【００１５】
この支持体14は、図１に示すように、カメラ11を支持する機能とステッキとしての機能とを兼ね備えた支持体兼ステッキであり、水平方向に長手方向を有する等径の細長円柱状で、断面円形状のステッキ把持部である横杆部21を有している。
【００１６】
そして、横杆部21の上側外周面にて、例えば円周の略４分の３である円弧を有する凸状の円弧面状の一方の係合面22が構成されている。すなわち、横杆部21の下端部外周面を除く外周面一部（例えば、外周面全体に対する略４分の３の部分）である上側外周面にて、円弧の中心を結んだ中心軸線が水平方向に一致した円弧面状で、断面形状が略Ｃ字状をなす一方の係合面22が構成されている。
【００１７】
また、横杆部21の長手方向一端部にて短い円柱状の一方の嵌合部23が構成されている。そして、この一方の嵌合部23の外周面全体にて等径の円筒面状の一方の嵌合面24が構成され、この一方の嵌合面24の外郭線に沿った円の中心を結んだ中心軸線が一方の係合面22の中心軸線と一致しており、一方の嵌合面24と一方の係合面22とが同軸上に配置されている。なお、この一方の嵌合面24の一部である上側外周面が、一方の係合面22の一部となっている。
【００１８】
さらに、横杆部21の長手方向他端側は、横杆部21のにぎり心地が良好となるように、下方に向ってやや湾曲状に曲げられ、長手方向他端面が半球状の曲面25となっている。なお、長手方向一端面は垂直面に沿った平面26となっている。
【００１９】
また一方、横杆部21の長手方向中間部、例えば長手方向中央部よりやや一端側寄りの下面からは、上下方向に細長い断面円形状のステッキ脚部である縦杆部28が下方に向って突出している。この縦杆部28の下端部外周には、石突きスパイクとなるゴム製のキャップ29が嵌合により取り付けられている。なお、縦杆部28の上端部には、外周面部の一部の切欠きにより略三日月状の一対の傾斜面30，30が形成されている。
【００２０】
取付け体13は、図１に示すように、横杆部21と略同じ長さをもって水平方向に長手方向を有する直方体の下部から断面略半円状の半円柱が切り取られた形状をなす下方に開いた凹状の本体部31を有している。
【００２１】
そして、本体部31の下面にて、一方の係合面22に対応する形状で、例えば円周の略２分の１である円弧を有する下方に開いた凹状の円弧面状の他方の係合面32が構成されている。この本体部31の一端から他端にわたって位置する他方の係合面32は、その円弧の中心を結んだ中心軸線が水平方向に一致している。そして、この他方の係合面32は、一方の係合面22に対して係脱自在で、一方の係合面22に摺動可能に係合および係合解除可能となっている。
【００２２】
また、図２に示すように、本体部31の下面である他方の係合面32には、複数、例えば３つの円形状の孔部34，34，34が、本体部31の長手方向に所定間隔、例えば等間隔をおいて並んだ状態で凹設されている。
【００２３】
そして、本体部31における各孔部34の周縁に沿って位置する部分にて、円柱状の一方の嵌合部23の外周に嵌合および嵌合解除可能な仮想円筒状の他方の嵌合部35が構成されている。なお、円柱状の一方の嵌合部23の外径は、円筒状の他方の嵌合部35の内径よりやや小さい寸法となっている。
【００２４】
また、各他方の嵌合部35の内周面下部にて、一方の嵌合面24に対応する形状の他方の嵌合面36が構成されている。他方の嵌合面36は、例えば互いに離間対向した略三角状の一対の円弧面37，37にて形成されており、各円弧面37の上縁は、それぞれ例えば円周の略８分の１の円弧である。なお、円弧面37の上縁にはリング状をなす円筒面38が連続している。
【００２５】
そして、各他方の嵌合面36は、一方の嵌合面24に対して嵌脱自在で、一方の嵌合面24の外周側に摺動可能に嵌合および嵌合解除可能となっている。
【００２６】
また一方、本体部31には、孔部34に対応して複数、例えば３つの円形状のねじ用の貫通孔部41，41，41が、本体部31の長手方向に所定間隔、例えば等間隔をおいて状態で並設されている。また、貫通孔部41の直径は孔部34の直径より小さく、貫通孔部41と孔部34とは同軸上に配置されている。
【００２７】
さらに、本体部31の上面上には、矩形状の滑止め用シート部材42が取り付けられている。なお、ねじ12の頭部12aの厚さは、円筒面38の軸方向長さと略同じ寸法となっている。
【００２８】
なお、支持体14の一方の係合面22にて、取付け体13の他方の係合面32との係合である当接係合によりカメラ11を横位置姿勢に支持する第１の支持部43が構成されている。また、支持体14の一方の嵌合面24にて、取付け体13の他方の嵌合面36との係合である嵌合によりカメラ11を縦位置姿勢に支持する第２の支持部44が構成されている。
【００２９】
次に、上記実施の形態の作用を説明する。
【００３０】
カメラ11で撮影を行うに当たって、使用者は、選択したねじ用の貫通孔部41に挿通したねじ12の雄ねじ部12bを、カメラ11の下面部の図示しない雌ねじ部に螺合することにより、カメラ11に取付け体13を固定的に取り付け、カメラ11の下面と滑止め用シート部材42とを接触させる。
【００３１】
なお、使用者は、例えば取付け体13の長手方向端部がカメラ11側方に突出しないように、カメラ11の雌ねじ部の位置に応じて一の貫通孔部41を選択する。
【００３２】
こうして、カメラ11に取付け体13を取付けた後、図３に示すように、カメラ11で横位置撮影を行う場合、使用者は、一方の手で縦杆部28が上下方向に沿って位置するように支持体14を支え、他方の手でカメラ11を横にして持ち、そして、このカメラ11を支持体14上に取付け体13を介して載置して、支持体14の一方の係合面22と取付け体13の他方の係合面32とを摺動可能に当接係合させる。
【００３３】
すると、カメラ11は、そのカメラ11の長手方向が水平方向に一致した横位置姿勢の状態で、かつ、前方に突出したカメラレンズ11a側が昇降するように、支持体14の一方の係合面22を支点として上下方向に回動調節可能な状態で、支持体14に取付け体13を介して支持されることなる。
【００３４】
その後、使用者は、被写体に応じてカメラ11の上下方向の回動調節、つまりティルト調節を行い、所望の画面を得ることができたらシャッターをきる。
【００３５】
また、例えば、上記横位置撮影では所望の画面を得ることができず、図４に示すように、カメラ11で縦位置撮影を行う場合、使用者は、カメラ11を取付け体13とともに一旦持ち上げ、支持体14の一方の係合面22と取付け体13の他方の係合面32との係合を解除する。
【００３６】
その後、使用者は、一方の手で縦杆部28が上下方向に沿って位置するように支持体14を支え、他方の手でカメラ11を縦にして持ち、そして、選択した他方の嵌合部35内に支持体14の一方の嵌合部23を挿入して、支持体14の一方の嵌合面24と取付け体13の他方の嵌合面36とを摺動可能に嵌合させる。
【００３７】
すると、カメラ11は、そのカメラ11の長手方向が垂直方向に一致した縦位置姿勢の状態で、かつ、前方に突出したカメラレンズ11a側が昇降するように、支持体14の一方の嵌合面24を支点として上下方向に回動調節可能な状態で、支持体14に取付け体13を介して支持されることなる。
【００３８】
その後、使用者は、被写体に応じてカメラ11の上下方向の回動調節、つまりティルト調節を行い、所望の画面を得ることができたらシャッターをきる。
【００３９】
さらに、例えば、上記縦位置撮影終了後、支持体14をステッキとして使用する場合、使用者は、支持体14の一方の嵌合面24と取付け体13の他方の嵌合面36との嵌合を解除してから、支持体14の横杆部21を把持し、縦杆部28の下端部のキャップ29を地面等に突き当てる。
【００４０】
このように、上記実施の形態によれば、支持体14の一方の係合面22と取付け体13の他方の係合面32とを摺動可能に当接係合させることによりカメラ11を支持体14に取付け体13を介して支持させた場合には、このカメラ11が横位置姿勢でかつティルト調節可能な状態に設定され、また、支持体14の一方の嵌合面24と取付け体13の他方の嵌合面36とを摺動可能に嵌合させることにより、カメラ11を支持体14に取付け体13を介して支持させた場合には、このカメラ11が縦位置姿勢でかつティルト調節可能な状態に設定される構成であるから、被写体に応じて、カメラ11を横位置姿勢にしたり、縦位置姿勢にしたりすることができる。
【００４１】
しかも、横位置姿勢のカメラ11を一方の係合面22に沿って周方向に回動させることで容易にティルト調節を行うことができ、また、縦位置姿勢のカメラ11を一方の嵌合面24に沿って周方向に回動させることで容易にティルト調節を行うことができる。
【００４２】
また、カメラ11を支持体14に取付け体13を介して簡単に装着できるので、カメラ11の横位置姿勢から縦位置姿勢への姿勢変更や、縦位置姿勢から横位置姿勢への姿勢変更も容易に行うことができる。
【００４３】
さらに、取付け体13は、他方の嵌合面32を本体部31の長手方向に等間隔をおいて複数、３つ並設したので、カメラ11の大きさや雌ねじ部位置等に応じて一の他方の嵌合面32を選択することにより、各種のカメラ11に適切に対応できる。
【００４４】
また、支持体14は、構成が簡単で製造が容易であるばかりでなく、横杆部21を利用して容易に持ち運ぶことができる。
【００４５】
しかも、支持体14は、カメラ11を支持させない場合には、ステッキとして利用することができるため、持ち歩きの負担となることがないばかりでなく、支持体14とは別体のステッキを不要にでき、例えば旅行時等の荷物を少なくできる。
【００４６】
なお、第１の支持部43は、取付け体13との当接係合によりカメラ11を横位置姿勢でティルト調節可能に支持する構成には限定されず、例えば、取付け体13との嵌合により横位置姿勢に支持するものでもよい。
【００４７】
また、第２の支持部44は、取付け体13との嵌合によりカメラ11を縦位置姿勢でティルト調節可能に支持する構成には限定されず、例えば、取付け体13との当接係合により縦位置姿勢に支持するものでもよい。
【００４８】
さらに、取付け体13には例えば３つの他方の嵌合面32を並設したと説明したが、例えば、１つ、２つ、４つ以上設けたものでもよい。また、他方の嵌合面36を互いに離間対向した一対の円弧面37，37にて形成したと説明したが、例えば円筒面で形成してもよい。
【００４９】
また、円筒面状の一方の嵌合面24は、断面円形の完全な円筒面には限定されず、他方の嵌合面36との嵌合でカメラ11を適切に支持できる形状であれば、例えば、円周の略４分の３である円弧を有する円弧面状のものでもよい。さらに、支持体14は縦杆部28は、例えば長さ調節可能な多段式の構成としてもよい。
【００５０】
【発明の効果】
請求項１記載の発明によれば、被写体に応じてカメラを横位置姿勢にしたり縦位置姿勢にしたりすることができ、しかも、横位置姿勢のカメラを容易に上下方向に回動調節でき、縦位置姿勢のカメラを容易に上下方向に回動調節でき、また、カメラに応じて他方の嵌合面を選択することにより、各種のカメラに適切に対応できる。
【００５１】
請求項２記載の発明によれば、被写体に応じてカメラを横位置姿勢にしたり縦位置姿勢にしたりすることができ、しかも、横位置姿勢のカメラを容易に上下方向に回動調節でき、縦位置姿勢のカメラを容易に上下方向に回動調節でき、また、支持体の製造が容易であるばかりでなく、横杆部を利用して支持体を容易に持ち運ぶことができる。
【００５２】
請求項３記載の発明によれば、支持体をステッキとして利用することができるため、支持体とは別体のステッキを不要にでき、例えば旅行時等の荷物を少なくできる。
【図面の簡単な説明】
【図１】本発明のカメラ用支持具の一実施の形態を示す斜視図である。
【図２】同カメラ用支持具の取付け体を示す斜視図である。
【図３】同カメラ用支持具でカメラを横位置姿勢に支持した図である。
【図４】同カメラ用支持具でカメラを縦位置姿勢に支持した図である。
【図５】従来のカメラ用支持具を示す正面図である。
【符号の説明】
10    カメラ用支持具
11    カメラ
13    取付け体
14    支持体
21    横杆部
22    一方の係合面
24    一方の嵌合面
28    縦杆部
32    他方の係合面
36    他方の嵌合面
43    第１の支持部
44    第２の支持部
【図１】
0003547127.tif 000002
【図２】
0003547127.tif 000003
【図３】
0003547127.tif 000004
【図４】
0003547127.tif 000005
【図５】
0003547127.tif 000006